(57)【特許請求の範囲】
【請求項１】
潜熱回収式の熱交換器にて加熱された湯水を浴槽に接続された浴槽湯水管に供給する湯水供給手段を備えた熱源機に、前記熱交換器から排出されてドレンタンクに貯留されるドレンを排水箇所に接続されたドレン排水管に供給するドレン排水手段が設けられた風呂設備であって、
前記ドレン排水管が、前記浴槽用湯水管の内部を通して配管され、
前記ドレン排水管から前記浴槽用湯水管の内部にドレンが漏れる漏洩異常状態を検知する漏洩検知手段が設けられている風呂設備。
【請求項２】
前記漏洩検知手段が、
前記浴槽用湯水管の内部に充満する湯水と電気的に接続するように設けられた湯水用電極と、
前記ドレン排水管の内部に充満するドレンと電気的に接続するように設けられたドレン用電極と、
前記湯水用電極と前記ドレン用電極との導通を検出する導通計測手段と、
前記浴槽用湯水管の内部が湯水で充満され且つ前記ドレン排水管の内部がドレンにて充満された状態において前記導通計測手段にて導通が検出されると前記漏洩異常状態であると判別する判別手段とから構成されている請求項１記載の風呂設備。
【請求項３】
前記漏洩検知手段が、
前記ドレンタンク内に貯留されるドレン量を検出するドレン量検出センサと、
前記浴槽用湯水管の内部が湯水で充満されている状態において、前記ドレン排水手段を前記ドレン排水管内の流体を前記ドレンタンク内に搬送するように逆搬送状態で作動させたときに、前記ドレン量検出センサにてドレン量の増加が検出されると前記漏洩異常状態であると判別する判別手段とから構成されている請求項１記載の風呂設備。
【請求項４】
前記判別手段が、前記ドレン排水手段を前記ドレンタンク内の貯留されるドレンを排出するように正搬送状態で作動させたのち、前記浴槽用湯水管の内部が湯水で充満されている状態において、前記ドレン排水手段を前記ドレン排水管内の流体を前記ドレンタンク内に搬送するように逆搬送状態で作動させたときに、前記ドレン量検出センサにてドレン量の増加が検出されると前記漏洩異常状態であると判別するように構成されている請求項３記載の風呂設備。
【請求項５】
前記漏洩検知手段が、
前記浴槽用湯水管に湯水が充満された状態においてその湯水の圧力を検出する水圧センサと、
前記浴槽用湯水管に湯水が充満され、前記湯水供給手段が停止され、且つ、前記ドレン排水管の内部にドレンが充満させた状態において、前記ドレン排水手段を作動させたときに前記水圧センサにて圧力の上昇が検知されると前記漏洩異常状態であると判別する判別手段とから構成されている請求項１記載の風呂設備。
【請求項６】
前記漏洩検知手段が、
前記ドレンタンク内に貯留されるドレン量を検出するドレン量検出センサと、
前記ドレン排水手段を前記ドレンタンク内の貯留されるドレンを排出するように作動させたときに、前記ドレン量検出センサにてドレン量が設定量減少したことが検出されるのに要する時間が設定基準時間よりも設定時間短くなると前記漏洩異常状態であると判別する判別手段とから構成されている請求項１記載の風呂設備。
【請求項７】
前記浴槽用湯水管の熱源機側の端部に、熱源機側接続部と浴槽用湯水管側接続部とを内部通路にて連通させる状態で備える熱源機側継手が設けられ、且つ、前記浴槽用湯水管の浴槽側の端部に、浴槽側接続部と浴槽用湯水管側接続部とを内部通路にて連通させる浴槽側継手が設けられ、
前記熱源機側継手における前記熱源機側接続部と前記浴槽用湯水管側接続部との間の側壁部に、前記内部通路を外部に連通するドレン排水管挿通部が備えられ、
そのドレン排水管挿通部に、前記ドレン排水管を挿通した状態で水密状に封止する封止部材が備えられ、
前記浴槽側継手における前記浴槽側接続部と前記浴槽用湯水管側接続部との間の側壁部に、前記内部通路を外部に連通するドレン排水管挿通部が備えられ、
そのドレン排水管挿通部に、前記ドレン排水管を挿通した状態で水密状に封止する封止部材が備えられ、
前記ドレン排水管における排水管部分が、その熱源機側の端部が前記熱源機側継手のドレン排水管挿通部から外部に突出し且つその浴槽側の端部が前記浴槽側継手のドレン排水管挿通部から外部に突出する状態で、前記浴槽用湯水管内に位置するように設けられている請求項１〜６のいずれか１項に記載の風呂設備。
【発明の詳細な説明】
【技術分野】
【０００１】
本発明は、潜熱回収式の熱交換器にて加熱された湯水を浴槽に接続された浴槽湯水管に供給する湯水供給手段を備えた熱源機に、前記熱交換器から排出されてドレンタンクに貯留されるドレンを排水箇所に接続されたドレン排水管に供給するドレン排水手段が設けられた風呂設備に関する。
【背景技術】
【０００２】
かかる風呂設備は、潜熱回収式の熱交換器を備えた熱源機は、バーナの燃焼排ガスの潜熱をも回収して湯水を加熱するものであり、熱回収効率が優れたものであるが、潜熱回収式の熱交換器においては燃焼排ガスの潜熱が回収されるのに伴って凝縮水、所謂ドレンが発生するので、このような熱源機を備えた風呂設備では、熱交換器にて加熱された湯水を浴槽に接続された浴槽湯水管に供給する湯水供給手段に加えて、ドレンを浴室側の排水箇所（例えば、浴室の床面に設けられた排水口近く）に接続されたドレン排水管に供給するドレン排水手段を設ける必要がある。
【０００３】
そして、このような風呂設備の従来例として、ドレン排水管が、浴槽用湯水管の外部に配管されているものがあった（例えば、特許文献１参照。）。
ちなみに、上記した風呂設備の従来例では、熱源機を通して浴槽の湯水を循環させる浴槽用往き管及び浴槽用戻り管を、浴槽用湯水管を兼用する状態で設け、これら浴槽用戻り管及び浴槽用往き管にドレン排水管を加えた３本の管を３本管用のさや管内に挿通した形態で、床下又は天井を通して配管されていた。
【０００４】
【特許文献１】特開２００５−３３７７１０号公報
【発明の開示】
【発明が解決しようとする課題】
【０００５】
ところで、潜熱回収式の熱交換器を備えていない既設の熱源機を潜熱回収式の熱交換器を備えた熱源機に交換することがある。そして、既設の熱源機用として、一般には、浴槽用湯水管としての浴槽用戻り管及び浴槽用往き管が２本管用のさや管に挿通された状態で床下又は天井に配管されている。
しかしながら、上述のように熱源機を交換する場合、従来の風呂設備では、既設の２本管用のさや管を撤去して、浴槽用戻り管、浴槽用往き管及びドレン排水管の３本の管をドレン排水管が浴槽用戻り管や浴槽用往き管の外部に位置する状態で挿通した３本管用のさや管を、床下又は天井に配管することになるので、大掛かりな工事が必要となり、配管作業が困難なものであった。
説明を加えると、３本の管を挿通するための３本管用のさや管は２本の管を挿通するための２本管用のさや管に比べて径が太いので、その３本管用のさや管を敷設するために、新たに床材や壁材に孔をあける必要があり、又、既設の２本管用のさや管を撤去して、３本管用のさや管を敷設しなおす必要があり、大掛かりな工事が必要となって、配管作業が困難なものとなる。
【０００６】
また、ドレンを浴室側の排水箇所に接続されたドレン排水管に供給するドレン排水手段を設けた場合には、ドレン排水管から漏洩したドレンが浴槽用湯水管内の湯水に混入したことを検知することができる手段を設けることが望まれる。
【０００７】
本発明は、上記実状に鑑みて為されたものであって、その目的は、配管作業の容易化を図ることができ且つドレン排水管から漏洩したドレンが浴槽用湯水管内の湯水に混入したことを検知することができる風呂設備を提供する点にある。
【課題を解決するための手段】
【０００８】
本発明の風呂設備は、潜熱回収式の熱交換器にて加熱された湯水を浴槽に接続された浴槽湯水管に供給する湯水供給手段を備えた熱源機に、前記熱交換器から排出されてドレンタンクに貯留されるドレンを排水箇所に接続されたドレン排水管に供給するドレン排水手段が設けられたものであって、
その第１特徴構成は、前記ドレン排水管が、前記浴槽用湯水管の内部を通して配管され、前記ドレン排水管から前記浴槽用湯水管の内部にドレンが漏れる漏洩異常状態を検知する漏洩検知手段が設けられている点にある。
【０００９】
すなわち、ドレン排水管が、浴槽用湯水管の内部を通して配管されているので、浴槽用湯水管の配設するスペースを利用してドレン排水管を設けることができるので、配管作業の容易化を図り得る。
つまり、例えば、既設の浴槽用湯水管を床下又は天井に配管したままで、その浴槽用湯水管の内部にドレン排水管を配管することにより、ドレン排水管を床下又は天井に配管することができるので、既設の浴槽用湯水管を撤去する必要がなく、又、床材や壁材に孔をあける必要もないので、大掛かりな工事が不要となり、配管作業の容易化を図ることができる。
【００１０】
また、ドレン排水管を浴槽用戻り管又は浴槽用往き管の内部を通して配管すると、ドレン排水管に漏れが生じた場合に、ドレンが浴槽用戻り管又は浴槽用往き管の内部に漏れて湯水に混入してしまうものであるが、ドレン排水管から浴槽用湯水管の内部にドレンが漏れる漏洩異常状態を検知する漏洩検知手段が設けられているため、ドレン排水管から漏洩したドレンが浴槽用湯水管内の湯水に混入したことを検知することができる。
従って、配管作業の容易化を図ることができ且つドレン排水管から漏洩したドレンが浴槽用湯水管内の湯水に混入したことを検知することができる風呂設備を提供することができるに至った。
【００１１】
第２特徴構成は、上記第１特徴構成に加えて、前記漏洩検知手段が、前記浴槽用湯水管の内部に充満する湯水と電気的に接続するように設けられた湯水用電極と、前記ドレン排水管の内部に充満するドレンと電気的に接続するように設けられたドレン用電極と、前記湯水用電極と前記ドレン用電極との導通を検出する導通計測手段と、前記浴槽用湯水管の内部が湯水で充満され且つ前記ドレン排水管の内部がドレンにて充満された状態において前記導通計測手段にて導通が検出されると前記漏洩異常状態であると判別する判別手段とから構成されている点にある。
【００１２】
すなわち、浴槽用湯水管の内部が湯水で充満され且つドレン排水管の内部がドレンにて充満された状態において、導通計測手段にて湯水用電極とドレン用電極との導通が検出されると、判別手段にて漏洩異常状態であると判別するように構成されている。
つまり、一般的にドレン排水管は樹脂管にて構成されているため、浴槽用湯水管の内部に充満する湯水とドレン排水管の内部に充満するドレンとはドレン排水管により電気的に分離されているが、ドレン排水管の漏れが生じて漏洩異常状態になると、ドレン排水管の漏れが生じた箇所において浴槽用湯水管の内部に充満する湯水とドレン排水管の内部に充満するドレンとが電気的に接続され、湯水用電極とドレン用電極とが導通する状態となるから、湯水用電極とドレン用電極とが導通したことを導通計測手段にて検出し、これにより判別手段にて漏洩異常状態であると判別することにより、漏洩異常状態を検知することができる。
そして、このように湯水用電極とドレン用電極とが導通したことにより漏洩異常状態であることを検知するように構成されているから、漏洩異常状態となれば湯水用電極とドレン用電極との導通により漏洩異常状態を直ちに検知することができる。
従って、漏洩異常状態を直ちに検知することができる漏洩検知手段を設けた風呂設備を提供することができるに至った。
【００１３】
第３特徴構成は、上記第１特徴構成に加えて、前記漏洩検知手段が、前記ドレンタンク内に貯留されるドレン量を検出するドレン量検出センサと、前記浴槽用湯水管の内部が湯水で充満されている状態において、前記ドレン排水手段を前記ドレン排水管内の流体を前記ドレンタンク内に搬送するように逆搬送状態で作動させたときに、前記ドレン量検出センサにてドレン量の増加が検出されると前記漏洩異常状態であると判別する判別手段とから構成されている点にある。
【００１４】
すなわち、浴槽用湯水管の内部が湯水で充満されている状態において、ドレン排水手段をドレン排水管内の流体をドレンタンク内に搬送するように逆搬送状態で作動させたときにドレン量検出センサにてドレン量の増加が検出されると、判別手段にて漏洩異常状態であると判別するように構成されている。
つまり、ドレン排出手段を逆搬送状態で作動させることにより、ドレン排水管内のドレンを吸引してドレンタンク内に搬送するように構成した場合では、このようにドレンを搬送する際に、ドレン排水管内が浴槽用湯水管内に対して負圧になるため、漏洩異常状態では浴槽用湯水管内の湯水がドレン排水管内に浸入する。また、ドレン排水管内が湯水で満たされていない状態でも、ドレン排水管内が浴槽用湯水管内に対して負圧になるため、漏洩異常状態では浴槽用湯水管内の湯水がドレン排水管内に浸入する。
このように浴槽用湯水管内の湯水がドレン排水管内に浸入した状態で、ドレン排出手段を逆搬送状態で作動させると、ドレン排水管に侵入した湯水がドレンタンクに搬送されるから、ドレンタンクに搬送された湯水によりドレン量検出センサにてドレン量（ドレンと湯水との合計量）の増加が検出されることにより、判別手段にて洩異常状態であると判別することによって、漏洩異常状態を検知できる。
そして、ドレンタンク内のドレンを排出するドレン排出運転を実行するためにドレンタンク内のドレン量を検出するセンサが設けられている場合は、そのセンサをドレン量検出センサとして利用することができ、また、既存のドレン排出手段を逆搬送状態に作動させることにより、ドレン排水管内の湯水をドレンタンク内に搬送することができるので、漏洩検知手段を設けながらも構成の複雑化を抑制することができる。
従って、漏洩検知手段を設けながらも構成の複雑化を抑制することができる風呂設備を提供することができるに至った。
【００１５】
第４特徴構成は、上記第３特徴構成に加えて、前記判別手段が、前記ドレン排水手段を前記ドレンタンク内の貯留されるドレンを排出するように正搬送状態で作動させたのち、前記浴槽用湯水管の内部が湯水で充満されている状態において、前記ドレン排水手段を前記ドレン排水管内の流体を前記ドレンタンク内に搬送するように逆搬送状態で作動させたときに、前記ドレン量検出センサにてドレン量の増加が検出されると前記漏洩異常状態であると判別するように構成されている点にある。
【００１６】
すなわち、ドレン排水手段をドレンタンク内の貯留されるドレンを排出するように正搬送状態で作動させたのち、浴槽用湯水管の内部が湯水で充満されている状態において、ドレン排水手段をドレン排水管内の流体をドレンタンク内に搬送するように逆搬送状態で作動させたときにドレン量検出センサにてドレン量の増加が検出されると、判別手段にて漏洩異常状態であると判別するように構成されている。
つまり、ドレン排水手段を正搬送状態で作動させることにより、ドレン排水管内のドレンを排水箇所に排水することができ、ドレン排水管内が浴槽用湯水管内に対して負圧になるため、漏洩異常状態では浴槽用湯水管内の湯水がドレン排水管内に浸入する。その後、ドレン排水手段を逆搬送状態で作動させることにより、ドレン排水管に侵入した湯水がドレンタンクに搬送されるから、ドレンタンクに搬送された湯水によりドレン量検出センサにてドレン量（ドレンと湯水との合計量）の増加が検出されることにより、判別手段にて洩異常状態であると判別することにより、漏洩異常状態を検知できる。
つまり、ドレン排水管内にドレンが存在しない状態又は少ない状態で、ドレン排水手段を逆搬送状態で作動させてドレン排水管内の流体をドレンタンク内に搬送するから、ドレン量（ドレンと湯水との合計量）の増加における、ドレンタンクに搬送された湯水の割合を大きくなることにより、漏洩異常状態を適確に検知することができる。
従って、漏洩異常状態を適確に検知することができる風呂設備を提供することができるに至った。
【００１７】
第５特徴構成は、上記第１特徴構成に加えて、前記漏洩検知手段が、前記浴槽用湯水管に湯水が充満された状態においてその湯水の圧力を検出する水圧センサと、前記浴槽用湯水管に湯水が充満され、前記湯水供給手段が停止され、且つ、前記ドレン排水管の内部にドレンが充満させた状態において、前記ドレン排水手段を作動させたときに前記水圧センサにて圧力の上昇が検知されると前記漏洩異常状態であると判別する判別手段とから構成されている点にある。
【００１８】
すなわち、浴槽用湯水管に湯水が充満され、湯水供給手段が停止され、且つ、ドレン排水管の内部にドレンが充満させた状態において、ドレン排水手段を作動させたときに水圧センサにて圧力の上昇が検知されると、判別手段にて漏洩異常状態であると判別するように構成されている。
つまり、ドレン排出手段を正搬送状態で作動させることにより、ドレン排水管内が浴槽用湯水管内に対して正圧になり、ドレン排水管から浴槽用湯水管の内部にドレンが漏れることによって、湯水供給手段を停止させた、通常では浴槽用湯水管内の湯水の圧力が上昇しない状態でも上昇するから、湯水供給手段を停止させた状態において、ドレン排水手段を作動させたときに、水圧センサにて圧力の上昇が検出されると漏洩異常状態であると判別することにより、漏洩異常状態を検知することができる。
そして、浴槽内の水位を検出するために、浴槽用湯水管内の湯水の圧力を検出する水位センサが設けられている場合は、その水位センサを水圧センサとして利用することができるので、漏洩検知手段を設けながらも構成の複雑化を抑制することができる。
従って、漏洩検知手段を設けながらも構成の複雑化を抑制することができる風呂設備を提供することができるに至った。
【００１９】
第６特徴構成は、上記第１特徴構成に加えて、前記漏洩検知手段が、前記ドレンタンク内に貯留されるドレン量を検出するドレン量検出センサと、前記ドレン排水手段を前記ドレンタンク内の貯留されるドレンを排出するように作動させたときに、前記ドレン量検出センサにてドレン量が設定量減少したことが検出されるのに要する時間が設定基準時間よりも設定時間短くなると前記漏洩異常状態であると判別する判別手段とから構成されている点にある。
【００２０】
すなわち、ドレン排水手段をドレンタンク内の貯留されるドレンを排出するように作動させたときに、ドレン量検出センサにてドレン量が設定量減少したことが検出されるのに要する時間が設定基準時間よりも設定時間短くなると、判別手段にて漏洩異常状態であると判別するように構成されている。
つまり、ドレン排水手段をドレンタンク内の貯留されるドレンを排出するように作動させたとき、漏洩異常状態であると、ドレン排水管から浴槽用湯水管内にドレンが漏れることにより圧損が小さくなり、ドレンタンクから設定量のドレンを排出する際の時間が短くなるから、ドレン排水手段をドレンタンク内の貯留されるドレンを排出するように作動させたときに、ドレン量検出センサにてドレン量が設定量減少したことが検出されるのに要する時間が設定基準時間よりも設定時間短くなると漏洩異常状態であると判別することにより、漏洩異常状態を検知することができる。
そして、ドレンタンクに貯留されるドレンを排水箇所に排出させるべく、ドレン排水手段をドレンタンク内の貯留されるドレンを排出するように作動させるだけで、漏洩異常状態を検知することができ、特別にドレン排水手段を作動させることなく漏洩異常状態を検知することができる。
従って、特別にドレン排水手段を作動させることなく漏洩異常状態を検知することができる漏洩検知手段を設けた風呂設備を提供することができるに至った。
【００２１】
第７特徴構成は、第１〜第６特徴構成のいずれかに加えて、前記浴槽用湯水管の熱源機側の端部に、熱源機側接続部と浴槽用湯水管側接続部とを内部通路にて連通させる状態で備える熱源機側継手が設けられ、且つ、前記浴槽用湯水管の浴槽側の端部に、浴槽側接続部と浴槽用湯水管側接続部とを内部通路にて連通させる浴槽側継手が設けられ、前記熱源機側継手における前記熱源機側接続部と前記浴槽用湯水管側接続部との間の側壁部に、前記内部通路を外部に連通するドレン排水管挿通部が備えられ、そのドレン排水管挿通部に、前記ドレン排水管を挿通した状態で水密状に封止する封止部材が備えられ、前記浴槽側継手における前記浴槽側接続部と前記浴槽用湯水管側接続部との間の側壁部に、前記内部通路を外部に連通するドレン排水管挿通部が備えられ、そのドレン排水管挿通部に、前記ドレン排水管を挿通した状態で水密状に封止する封止部材が備えられ、前記ドレン排水管における排水管部分が、その熱源機側の端部が前記熱源機側継手のドレン排水管挿通部から外部に突出し且つその浴槽側の端部が前記浴槽側継手のドレン排水管挿通部から外部に突出する状態で、前記浴槽用湯水管内に位置するように設けられている点にある。
【００２２】
すなわち、浴槽用湯水管の熱源機側の端部、浴槽側の端部がそれぞれ熱源機側継手の浴槽用湯水管側接続部、浴槽側継手の浴槽用湯水管側接続部に接続され、且つ、熱源機側継手の熱源機側接続部が熱源機に対して直接的にあるいは管部材等を介して間接的に接続され、浴槽側継手の浴槽側接続部が浴槽に対して直接的にあるいは管部材等を介して間接的に接続される状態で、浴槽用湯水管が熱源機と浴槽とにわたって設けられ、ドレン排水管が、その熱源機側の端部が熱源機側継手のドレン排水管挿通部から外部に突出し且つその浴槽側の端部が浴槽側継手のドレン排水管挿通部から外部に突出する状態で、浴槽用湯水管内に位置するように設けられ、熱源機側継手のドレン排水管挿通部及び浴槽側継手のドレン排水管挿通部の夫々が、ドレン排水管を挿通した状態で封止部材により水密状に封止される。
【００２３】
そして、ドレン排水管が、その熱源機側の端部が熱源機側継手のドレン排水管挿通部から外部に突出し且つその浴槽側の端部が浴槽側継手のドレン排水管挿通部から外部に突出する状態で、浴槽用湯水管内に位置するように設けられる配管構造であるから、潜熱回収式の熱交換器を備えていない既設の熱源機を潜熱回収式の熱交換器を備えた熱源機に交換する場合は、既設の浴槽用湯水管を配管したままでその既設の浴槽用湯水管内にドレン排水管を設けることにより、ドレン排水管を床下又は天井に配管することができるため、既設の浴槽用湯水管を撤去する必要がなく、又、床材や壁材に孔をあける必要もないので、大掛かりな工事が不要となり、配管作業を容易化することができる。
【００２４】
ちなみに、本発明による風呂設備用配管構造は、風呂設備を新規に設置する場合にも適用することができる。
例えば、浴槽用湯水管として浴槽用戻り管及び浴槽用往き管が設けられる場合、ドレン排水管はそれら浴槽用戻り管及び浴槽用往き管のうちのいずれか一方の内部に設けることになるので、さや管としては、浴槽用戻り管及び浴槽用往き管の２本の管を挿通する小径のものを使用することができるようになる。
つまり、本発明による風呂設備用配管構造は、特に、配管スペースが狭い等によりさや管の小径化が望まれる場合に好適である。
【００２５】
従って、潜熱回収式の熱交換器を備えていない既設の熱源機を潜熱回収式の熱交換器を備えた熱源機に交換するときの配管作業の容易化を図り得る風呂設備を提供することができるに至った。
【発明を実施するための最良の形態】
【００２６】
〔第１実施形態〕
以下、本発明の風呂設備に係る第１実施形態を図面に基づいて説明する。
図１及び図２に示すように、風呂設備は、潜熱回収式の熱交換器（以下、潜熱回収熱交換器と記載する場合がある）Ｎ２にて加熱された湯水を浴槽Ｙに接続された浴槽湯水管Ｐに供給する湯水供給手段としての湯張り電磁弁４２を備えた熱源機Ｇに、前記熱交換器Ｎ２から排出されてドレンタンク８に貯留されるドレンを排出箇所としての排水口Ｄ近くの箇所に接続されたドレン排出管４に供給するドレン排水手段としてのドレン排水ポンプ９が設けられている。ちなみに、前記排水口Ｄは、浴槽Ｙが設置された浴室の床面に設けられている。
【００２７】
図１に示すように、前記熱源機Ｇは、一般家庭用の水道管に接続された給水路１からの水をガス燃焼式のバーナｇ１によって加熱して、加熱後の湯水を先端に給湯栓２を備えた給湯路３に供給する給湯用動作部Ａ、ガス燃焼式のバーナｇ２によって、熱消費端末Ｔに循環供給する湯水を加熱したり浴槽Ｙの湯水を追焚きする温水循環用動作部Ｂ、熱源機Ｇの運転を制御する運転制御装置Ｃ、メインリモコンＲ１、及び、浴室リモコンＲ２等を備えて構成されている。
熱消費端末Ｔとして、例えば、浴室暖房乾燥機、床暖房装置等が設けられる。メインリモコンＲ１は炊事場の近く等に設けられ、浴室リモコンＲ２は前記浴室内に設けられる。
【００２８】
前記給湯用動作部Ａ及び温水循環用動作部Ｂについて説明を加える。
給湯用動作部Ａ及び温水循環用動作部Ｂはいずれも、前記潜熱回収熱交換器Ｎ２に加えて主熱交換器Ｎ１を備えて構成され、それら主熱交換器Ｎ１及び潜熱回収熱交換器Ｎ２は、バーナｇ１，ｇ２から排気路５に向かう燃焼排ガス流動方向において潜熱回収熱交換器Ｎ２が下手側に位置する状態で、その燃焼排ガス流動方向に沿って並べて設けられている。
そして、潜熱回収熱交換器Ｎ２にて、主として各バーナｇ１，ｇ２の燃焼排ガスの潜熱により湯水を加熱し、主熱交換器Ｎ１にて、主として各バーナｇ１，ｇ２の燃焼排ガスの顕熱により、前記潜熱回収熱交換器Ｎ２にて加熱された湯水を加熱するように構成されている。
【００２９】
各潜熱回収熱交換器Ｎ２からは、燃焼生成水である酸性の凝縮水、即ち、前記ドレンが生成するが、このドレンはドレンパン６によって集められて中和器７に供給され、その中和器７にて中和されたのち、ドレンタンク８に貯留されるように構成されている。この中和器７は、詳述はしないがドレンに対して中和作用する中和剤（例えば、炭酸カルシウム）が装填されている。又、前記ドレンタンク８には、そのドレンタンク８に貯留されるドレン量を検出するドレン量検出センサ９１が設けられている。
そして、ドレンタンク８とドレン排水管４との間にドレン排水ポンプ９が設けられており、ドレン排水ポンプ９により、ドレンタンク８内から吸引したドレンをドレン排水管４に吐出する形態で、ドレンタンク８に貯留されているドレンが前記ドレン排水管４を通して送出されて、前記排水口Ｄから排出されることになる。
ちなみに、図７に示すように、ドレン量検出センサ９１は、ドレンタンク８内のドレン量が上限貯留量以上であるか否かを検出する上限検出部９１ａと、ドレンタンク８内のドレン量が下限貯留量以下であるか否かを検出する下限検出部９１ｂとを備えて、ドレンタンク８内のドレン量が上限貯留量以上である状態、ドレンタンク８内のドレン量が下限貯留量以下である状態、並びに、ドレンタンク８内のドレン量が上限貯留量以下であり且つ下限貯留量以上である状態を検出可能に構成されている。
【００３０】
前記給湯用動作部Ａ及び温水循環用動作部Ｂには、各バーナｇ１、ｇ２に一般家庭用の燃料ガスを供給するガス供給路Ｋが接続され、そのガス供給路Ｋには、燃料ガス供給量を調整する電磁式のガス比例弁１０、燃料ガスの供給を断続する断続弁１１が設けられている。又、前記給湯用動作部Ａ及び温水循環用動作部Ｂには、各バーナｇ１、ｇ２に燃焼用空気を供給する燃焼用ファン１２が設けられ、更に、図示を省略するが、各バーナｇ１、ｇ２の近くには、点火動作を実行する点火用のイグナイタと着火されたか否かを検出するフレームロッドが設けられている。
【００３１】
前記給水路１が前記給湯用動作部Ａにおける潜熱回収熱交換器Ｎ２の湯水入口部に接続され、前記給湯路３が前記給湯用動作部Ａにおける主熱交換器Ｎ１の湯水出口部に接続されて、給水路１を通して供給される水が潜熱回収熱交換器Ｎ２及び主熱交換器Ｎ１にて加熱されて給湯路３を通して給湯栓２に供給されるように構成されている。
【００３２】
前記給水路１には、給水温度を検出する給水サ−ミスタ１３と給水量を検出する水量センサ１４とが設けられ、給水路１における給水サ−ミスタ１３及び水量センサ１４よりも下流側の箇所と前記給湯路３とが、熱交換器Ｎ１，Ｎ２を迂回するように給水バイパス路１５にて接続されている。
前記給湯路３と前記給水バイパス路１５との接続箇所には、主熱交換器Ｎ１からの湯量と給水バイパス路１５からの水量との混合比を調整するミキシング弁１７が設けられ、前記給湯路３における前記給水バイパス路１５の接続箇所よりも上流側には、主熱交換器Ｎ１から送出される湯水の温度を検出する出湯サーミスタ１６が設けられ、前記給湯路３における前記給水バイパス路１５の接続箇所よりも下流側には、上流側から順に、前記ミキシング弁１７により混合された後の湯水の温度を検出する給湯サーミスタ１８、湯水の量を調整する水比例弁１９、一般給湯の割込みを検出する割込み水量センサ２０が設けられている。
【００３３】
前記熱消費端末Ｔの湯水出口部と前記温水循環用動作部Ｂにおける潜熱回収熱交換器Ｎ２の入口部とが温水循環用戻り路２１にて接続され、前記温水循環用動作部Ｂにおける主熱交換器Ｎ１の湯水出口部と前記熱消費端末Ｔの湯水入口部とが温水循環用往き路２２にて接続され、温水循環用戻り路２１には、膨張タンク２３が介装され、更に、その温水循環用戻り路２１における膨張タンク２３よりも下流側の箇所には、膨張タンク２３内の湯水を吸引して温水循環用動作部Ｂの潜熱回収熱交換器Ｎ２に送出するように温水循環用ポンプ２４が設けられている。
そして、温水循環用ポンプ２４の通流作用により、湯水が、温水循環用往き路２２及び温水循環用戻り路２１を通して潜熱回収熱交換器Ｎ２及び主熱交換器Ｎ１と熱消費端末Ｔとにわたって循環されることになり、潜熱回収熱交換器Ｎ２及び主熱交換器Ｎ１にて加熱された湯水が熱消費端末Ｔに循環供給されるように構成されている。
【００３４】
前記温水循環用往き路２２には、潜熱回収熱交換器Ｎ２及び主熱交換器Ｎ１にて加熱されたのちの湯水の温度を検出する循環温水サーミスタ２５、及び、熱消費端末Ｔへの湯水の供給を断続する端末用熱動弁２６が設けられている。
【００３５】
前記温水循環用往き路２２と温水循環用戻り路２１における膨張タンク２３よりも上流側の箇所とは、前記熱消費端末Ｔを迂回させて湯水を循環させる温水循環バイパス路２７にて接続され、そのバイパス路２７には、前記浴槽Ｙ内の湯水を追焚するための追焚用熱交換器２８と追焚用熱動弁２９とが設けられている。
この追焚用熱交換器２８の湯水出口部と浴槽Ｙに装備された循環アダプタ３０とが浴槽用往き路３１にて接続され、その循環アダプタ３０と追焚用熱交換器２８の湯水入口部とが浴槽用戻り路３２にて接続され、その浴槽用戻り路３２に、浴槽Ｙの湯水を吸引して追焚用熱交換器２８に送出するように追焚用循環ポンプ３３が設けられている。
その追焚用循環ポンプ３３の通流作用により、浴槽Ｙの湯水が浴槽用往き路３１及び浴槽用戻り路３２を通して追焚用熱交換器２８に循環供給されるように構成されている。
【００３６】
そして、端末用熱動弁２６を閉弁し且つ追焚用熱動弁２９を開弁した状態で温水循環用ポンプ２４を作動させて、潜熱回収熱交換器Ｎ２及び主熱交換器Ｎ１にて加熱された湯水を熱消費端末Ｔを迂回させる状態で追焚用熱交換器２８に循環供給し、追焚用循環ポンプ３３を作動させて、浴槽Ｙの湯水を追焚用熱交換器２８に循環供給することにより、追焚用熱交換器２８にて浴槽Ｙの湯水を加熱して、浴槽Ｙを追焚するように構成されている。
つまり、前記温水循環用動作部Ｂは、前記バーナｇ２、前記主熱交換器Ｎ１及び前記潜熱回収熱交換器Ｎ２に加えて、前記温水循環用往き路２２、前記温水循環用戻り路２１、前記温水循環用ポンプ２４、前記温水循環バイパス路２７、前記追焚用熱交換器２８、前記端末用熱動弁２６及び前記追焚用熱動弁２９等を備えて構成されている。
【００３７】
前記浴槽用戻り路３２には、上流側から順に、圧力を検出することによって浴槽Ｙ内の水位を検出する水圧センサとしての水位センサ３４、浴槽Ｙから取り出される湯水の温度、即ち、浴槽Ｙの湯水の温度を検出する浴槽戻り温サ−ミスタ３５、浴槽用戻り路３２を開閉する電磁式の風呂２方弁３６、前記追焚用循環ポンプ３３、水流スイッチ３７が設けられ、前記浴槽用往き路３１には、浴槽Ｙに供給される湯水の温度を検出する浴槽往き温サ−ミスタ３８が設けられている。
【００３８】
前記給湯路３における水比例弁１９と割込み水量センサ２０との間の箇所から、給湯路３からの湯水を浴槽Ｙに供給するための湯張り路４１が分岐されて、その湯張り路４１が、前記浴槽用戻り路３２における追焚用循環ポンプ３３と水流スイッチ３７との間の箇所に接続され、この湯張り路４１には、上流側から順に、湯張り路４１を開閉する湯張り電磁弁４２と、湯張り逆止弁４３とが設けられている。
前記湯張り路４１における湯張り電磁弁４２と湯張り逆止弁４３との間の箇所には、その湯張り路４１に連通する空気層形成用ホッパ４４が介装されている。この空気層形成用ホッパ４４には、湯水を排水する排水路４５と、その排水路４５を開閉する電磁式の排水弁４６とが設けられ、排水路４５の端部が浴槽用戻り路３２における風呂２方弁３６と追焚用循環ポンプ３３との間の箇所に接続されている。
【００３９】
そして、前記湯張り電磁弁４２を開弁すると、前記給湯用動作部Ａにて加熱されて湯張り路４１を通して供給される湯水が浴槽用戻り路３２を浴槽Ｙ側と前記追焚用熱交換器２８側の両側に通流して、湯張り路４１を通して供給される湯水が浴槽用往き路３１及び浴槽用戻り路３２の両方を通して浴槽Ｙに供給されることになる。
【００４０】
前記ドレン排水管４は、前記浴槽用湯水管Ｐの内部を通して配管されており、次に、このドレン排水管４を浴槽用湯水管Ｐの内部を通して配管された風呂設備用配管構造について説明する。
図１及び図２に示すように、前記浴槽用往き路３１は、前記追焚用熱交換器２８に接続された状態で前記熱源機Ｇのケーシング３９内に設けられる浴槽往き内管３１ａと、浴槽Ｙに装備された前記循環アダプタ３０に接続された状態で前記熱源機Ｇのケーシング３９外に設けられる浴槽往き外管３１ｂとから構成され、前記浴槽用戻り路３２は、前記追焚用熱交換器２８に接続された状態で前記熱源機Ｇのケーシング３９内に設けられる浴槽戻り内管３２ａと、前記循環アダプタ３０に接続された状態で前記熱源機Ｇのケーシング３９外に設けられる浴槽戻り外管３２ｂとから構成されている。
尚、前記浴槽往き外管３１ｂや前記浴槽戻り外管３２ｂが、前記浴槽用湯水管Ｐに相当する。
【００４１】
前記浴槽往き内管３１ａにおける追焚用熱交換器側とは反対側の端部には、外周部に雌ネジが形成された筒状の往き用接続部４７が取り付けられ、前記浴槽戻り内管３２ａにおける追焚用熱交換器側とは反対側の端部には、外周部に雌ネジが形成された筒状の戻り用接続部４８が取り付けられ、それら往き用接続部４７及び戻り用接続部４８は、外部に突出する状態で前記ケーシング３９に付設されている。
【００４２】
図１及び図２に示すように、前記浴槽往き外管３１ｂの熱源機側の端部に袋ナット４９が、浴槽側の端部に袋ナット５０が夫々回動自在に支持されている。
そして、その浴槽往き外管３１ｂの熱源機側の袋ナット４９が前記熱源機Ｇの前記往き用接続部４７に螺合され、浴槽側の袋ナット５０が前記循環アダプタ３０の往き用接続部３０ｆに螺合されて、浴槽往き外管３１ｂが熱源機Ｇと循環アダプタ３０とに接続されている。
【００４３】
図１及び図２に示すように、前記浴槽用湯水管Ｐとしての浴槽戻り外管３２ｂにおける熱源機側の端部に、熱源機側接続部６１と浴槽用湯水管側接続部６２とを内部通路６３（図３及び図５参照）にて連通させる状態で備える熱源機側継手６０が設けられ、且つ、前記浴槽戻り用外管３２ｂにおける浴槽側の端部に、浴槽側接続部７１と浴槽用湯水管側接続部７２とを内部通路７３（図４及び図５参照）にて連通させる浴槽側継手７０が設けられている。
図１〜図３及び図５に示すように、前記熱源機側継手６０における前記熱源機側接続部６１と前記浴槽用湯水管側接続部６２との間の側壁部に、前記内部通路６３を外部に連通するドレン排水管挿通部６４が備えられ、そのドレン排水管挿通部６４に、前記ドレン排水管４を挿通した状態で水密状に封止する封止部材６５が備えられている。
図１、図２、図４及び図５に示すように、前記浴槽側継手７０における前記浴槽側接続部７１と前記浴槽用湯水管側接続部７２との間の側壁部に、前記内部通路７３を外部に連通するドレン排水管挿通部７４が備えられ、そのドレン排水管挿通部７４に、前記ドレン排水管４を挿通した状態で水密状に封止する封止部材７５が備えられている。
図１、図２及び図５に示すように、前記ドレン排水管４が、その熱源機側の端部が前記熱源機側継手６０のドレン排水管挿通部６４から外部に突出し且つその浴槽側の端部が前記浴槽側継手７０のドレン排水管挿通部７４から外部に突出する状態で、前記浴槽戻り外管３２ｂ内に位置するように設けられている。
【００４４】
ちなみに、図３は、前記熱源機側継手６の詳細な構成を示す図であり、図４は、前記浴槽側継手７０の詳細な構成を示す図である。又、図５は、前記熱源機側継手６及び前記浴槽側継手７０夫々の詳細な構成をドレン排水管４が挿通された状態にて示す図である。
尚、熱源機側継手６０及び浴槽側継手７０を同様に構成してあるので、図５においては、熱源機側継手６０及び浴槽側継手７０夫々の各部を示す符号を併記する（浴槽側継手７０に対応する符合を（）内に記載する）ことにより、熱源機側継手６０及び浴槽側継手７０夫々を同一の図を用いて示している。
【００４５】
図３〜図５に示すように、前記浴槽用湯水管側接続部６２，７２及び前記ドレン排水管挿通部６４，７４夫々が筒状に構成されて、夫々の筒軸芯が９０°よりも大きい角度で交差する形態で、前記熱源機側継手６０及び前記浴槽側継手７０に備えられている。
又、前記熱源機側継手６０及び前記浴槽側継手７０の夫々には、前記ドレン排水管挿通部６４，７４の内部通路側端部のうちで、前記内部通路６３，７３の通路長手方向において前記浴槽用湯水管側接続部６２，７２から離れる側に位置する部分から前記内部通路６３，７３内に延びる状態でドレン排水管案内部６４ａ，７４ａが備えられている。
【００４６】
以下、前記熱源機側継手６０及び前記浴槽側継手７０について、説明を加える。尚、上述したように、熱源機側継手６０及び浴槽側継手７０は同様に構成されているので、主として、熱源機側継手６０を詳細に説明して、浴槽側継手７０は簡単に説明する。
【００４７】
先ず、図３及び図５に基づいて、前記熱源機側継手６０について説明を加える。
この熱源機側継手６０の継手本体部６０Ｍが、一端側の筒状の熱源機側接続部６１と、他端側の筒状の浴槽用湯水管側接続部６２と、それら熱源機側接続部６１及び浴槽用湯水管側接続部６２を連通する内部通路６３とを直線状に連なる状態で備えるように構成されている。
筒状の浴槽用湯水管側接続部６２は、前記浴槽戻り用外管３２ｂが外嵌状態で接続可能なように構成され、その浴槽用湯水管側接続部６２の内径は、ドレン排水管４を挿通可能なようにそのドレン排水管４の外径よりも大径となるように構成されている。
又、内部通路６３の内径は、筒状の熱源機側接続部６１の内径及び筒状の浴槽用湯水管側接続部６２の内径よりも大径になるように構成されている。
ちなみに、前記浴槽戻り用外管３２ｂは、例えば１０Ａのサイズの樹脂管にて構成され、前記ドレン排水管４は、例えば４Ａのサイズの樹脂管にて構成されている。
【００４８】
前記熱源機側継手６０における継手本体部６０Ｍの熱源機側接続部６１には、前記熱源機Ｇの戻り用接続部４８に螺合自在な袋ナット６６が回動自在に支持されている。
又、熱源機側継手６０における継手本体部６０Ｍの浴槽用湯水管側接続部６２の外周部には、それに外嵌される前記浴槽戻り外管３２ｂの抜け止めのために、接続部先端側ほど小径となる段部６２ａの複数が接続部長手方向に並べて設けられている。
【００４９】
前記ドレン排水管挿通部６４が筒状に構成されて、その筒状のドレン排水管挿通部６４が、その筒軸芯が浴槽用湯水管側接続部６２の筒軸芯と概ね１３５°の交差角度で交差する形態で、継手本体部６０Ｍにおける前記熱源機側接続部６１と前記浴槽用湯水管側接続部６２との間の側壁部に形成された孔に螺入されている。
そのドレン排水管挿通部６４の両端面は、筒軸芯に直交する面となるように構成され、そのような筒状のドレン排水管挿通部６４が上述のように継手本体部６０Ｍに螺入されるに当たっては、そのドレン排水管挿通部６４の内部通路側端部のうちの浴槽用湯水管側接続部６２から近い部分が内部通路６３の内面と略同位置となり、且つ、浴槽用湯水管側接続部６２から遠い部分が内部通路６３の軸芯に対応する位置までその内部通路６３内に突出する形態で螺入されている。
つまり、前記熱源機側継手６０に、筒状の浴槽用湯水管側接続部６２及び筒状のドレン排水管挿通部６４が、夫々の筒軸芯が９０°よりも大きい角度で交差する形態で備えられることになる。又、ドレン排水管挿通部６４が前記熱源機側継手６０の継手本体部６０Ｍに螺入された状態で、そのドレン排水管挿通部６４における内部通路６３内に突出する部分が、前記ドレン排水管案内部６４ａとして機能するように構成されている。
【００５０】
前記内部通路６３の内面における浴槽用湯水管側接続部側の端部部分は、浴槽用湯水管側接続部側に向かって漸次小径となる状態で浴槽用湯水管側接続部６２に連なる先細り状に形成されている。そして、その内部通路６３における浴槽用湯水管側接続部６２に連なる先細り状の内面にて、ドレン排水管４が浴槽用湯水管側接続部６２にその内部通路側から挿通されるときにドレン排水管４の先端を浴槽用湯水管側接続部６２に案内するドレン排水管案内部６３ａが構成される。
【００５１】
前記熱源機側継手６０の前記封止部材６５は、前記ドレン排水管４を挿通可能な挿通孔６７ａを備えて、前記ドレン排水管挿通部６４の外方側端部に螺合される袋ナット６７と、ドレン排水管挿通部６４の開口縁部に段状に形成された環状のパッキング保持部６４ｂに保持されて、ドレン排水管挿通部６４に挿通されるドレン排水管４に外嵌されるリング状のパッキング６８とを備えて構成されている。
又、前記袋ナット６７の挿通孔６７ａにおける内方側の開口縁には、その軸芯方向に突出する環状のパンキング押さえ部６７ｂが設けられている。
そして、ドレン排水管４を袋ナット６７の挿通孔６７ａ及びドレン排水管挿通部６４に挿通した状態で、袋ナット６７をドレン排水管挿通部６４の外方側端部に螺合すると、その螺合に伴って、袋ナット６７のパンキング押さえ部６７ｂがドレン排水管４に外嵌されたパッキング６８を押圧することになって、そのパッキング６８がドレン排水管４の外周部にその全周にわたって圧接されることになり、ドレン排水管挿通部６４が水密状に封止されることになる。
【００５２】
次に、図４及び図５に基づいて、前記浴槽側継手７０について説明を加える。
この浴槽側継手７０の継手本体部７０Ｍが、一端側の筒状の浴槽側接続部７１と、他端側の筒状の浴槽用湯水管側接続部７２と、それら熱源機側接続部７１及び浴槽用湯水管側接続部７２を連通する内部通路７３とを直線状に連なる状態で備えるように構成されている。
【００５３】
前記浴槽側継手７０における継手本体部７０Ｍの浴槽側接続部７１には、前記循環アダプタ３０の戻り用接続部３０ｂに螺合自在な袋ナット７６が回動自在に支持されている。
又、浴槽側継手７０における継手本体部７０Ｍの浴槽用湯水管側接続部７２の外周部には、それに外嵌される前記浴槽戻り外管３２ｂの抜け止めのために、接続部先端側ほど小径となる段部７２ａの複数が接続部長手方向に並べて設けられている。
【００５４】
前記熱源機側継手６０のドレン排水管挿通部６４がその継手本体部６０Ｍに螺入されるのと同様の形態で、浴槽側継手７０のドレン排水管挿通部７４がその継手本体部７０Ｍにおける前記浴槽側接続部７１と前記浴槽用湯水管側接続部７２との間の側壁部に形成された孔に螺入されることにより、前記浴槽側継手７０に、筒状の浴槽用湯水管側接続部７２及び筒状のドレン排水管挿通部７４が、夫々の筒軸芯が９０°よりも大きい角度で交差する形態で備えられことになる。又、ドレン排水管挿通部７４が前記浴槽側継手７０の継手本体部７０Ｍに螺入された状態で、そのドレン排水管挿通部７４における内部通路７３内に突出する部分が、前記ドレン排水管案内部７４ａとして機能するように構成されている。
【００５５】
前記内部通路７３の内面における浴槽用湯水管側接続部側の端部部分も、前記熱源機側継手６０と同様に、浴槽用湯水管側接続部側に向かって漸次小径となる状態で浴槽用湯水管側接続部７２に連なる先細り状に形成され、その先細り状の内面にて、ドレン排水管４が浴槽用湯水管側接続部７２にその内部通路側から挿通されるときにドレン排水管４の先端を浴槽用湯水管側接続部７２に案内するドレン排水管案内部７３ａが構成される。
【００５６】
前記熱源機側継手７０の前記封止部材７５は、前記ドレン排水管４を挿通可能な挿通孔７７ａを備えて、前記ドレン排水管挿通部７４の外方側端部に螺合される袋ナット７７と、ドレン排水管挿通部７４の開口縁部に段状に形成された環状のパッキング保持部７４ｂに保持されて、ドレン排水管挿通部７４に挿通されるドレン排水管４に外嵌されるリング状のパッキング７８とを備えて構成されている。
又、前記袋ナット７７の挿通孔７７ａにおける内方側の開口縁には、その軸芯方向に突出する環状のパンキング押さえ部７７ｂが設けられている。
そして、ドレン排水管４を袋ナット７７の挿通孔７７ａ及びドレン排水管挿通部７４に挿通した状態で、袋ナット７７をドレン排水管挿通部７４の外方側端部に螺合すると、パッキング７８がドレン排水管４の外周部にその全周にわたって圧接されることになって、ドレン排水管挿通部７４が水密状に封止されることになる。
【００５７】
以下、前記浴槽往き外管３１ｂ、前記浴槽戻り外管３２ｂ及び前記ドレン排水管４を配管する作業の手順について説明する。
浴槽往き外管３１ｂ及び浴槽戻り外管３２ｂをさや管５１（図２及び図６参照）に入れた状態で床下に敷設する。
図２に示すように、浴槽往き外管３１ｂの熱源機側の袋ナット４９を前記熱源機Ｇの前記往き用接続部４７に螺合し、浴槽側の袋ナット５０を前記循環アダプタ３０の往き用接続部３０ｆに螺合して、浴槽往き外管３１ｂを熱源機Ｇと循環アダプタ３０とに接続する。
【００５８】
続いて、図３に示すように、浴槽戻り外管３２ｂの熱源機側の端部を熱源機側継手６０の浴槽湯水管側接続部６２に外嵌させて、バンド部材５２（図２及び図５参照）にて締め付け、図４に示すように、浴槽戻り外管３２ｂの浴槽側の端部を浴槽側継手７０の浴槽湯水管側接続部７２に外嵌させて、バンド部材５２にて締め付ける。
【００５９】
続いて、図３及び図４に示すように、ドレン排水管４を、熱源機側継手６０の封止部材６５における袋ナット６７の挿通孔６７ａに挿通した状態で、その熱源機側継手６０のドレン排水管挿通部６４からその熱源機側継手６０の内部通路６３に挿入し、更にドレン排水管４を先に押し込むことにより、熱源機側継手６０の浴槽用湯水管側接続部６２を通過させて、その浴槽用湯水管側接続部６２に外嵌された浴槽戻り外管３２ｂに挿通してその浴槽戻り外管３２ｂ内を通過させ、更にドレン排水管４を先に押し込むことにより、浴槽側継手７０の浴槽用湯水管側接続部７２を通過させて、その浴槽側継手７０のドレン排水管挿通部７４にその内部通路側から挿通して、そのドレン排水管挿通部７４から外部に突出させ、そのドレン排水管４の突出部分を浴槽側継手７０の封止部材７５における袋ナット７７の挿通孔７７ａに挿通する。
【００６０】
このようにドレン排水管４を熱源機側継手６０の浴槽用湯水管側接続部６２にその内部通路側から挿通するときには、ドレン排水管４の先端がドレン排水管案内部６３ａに当たってそのドレン排水管案内部６３ａの案内で浴槽用湯水管側接続部６２の内部通路側の開口部に導かれることになり、ドレン排水管４を浴槽用湯水管側接続部６２に挿通し易い。
又、ドレン排水管４を浴槽側継手７０のドレン排水管挿通部７４にその内部通路側から挿通するときには、ドレン排水管４の先端がドレン排水管案内部７４ａに当たってそのドレン排水管案内部７４ａの案内でドレン排水管挿通部７４の内部通路側の開口部に導かれることになり、ドレン排水管４をドレン排水管挿通部７５に挿通し易い。
【００６１】
続いて、図５に示すように、熱源機側継手６０の熱源機側接続部６１に支持された袋ナット６６を熱源機Ｇの戻り用接続部４８に螺合し、浴槽側継手７０の浴槽側接続部７１に支持された袋ナット７６を循環アダプタ３０の戻り用接続部３０ｂに螺合して、浴槽戻り外管３２ｂを熱源機Ｇと循環アダプタ３０とに接続する。
又、熱源機側継手６０の封止部材６５の袋ナット６７を熱源機側継手６０のドレン排水管挿通部６４の外方側端部に螺合することにより、そのドレン排水管挿通部６４を水密状に封止し、浴槽側継手７０の封止部材７５における袋ナット７７を浴槽側継手７０のドレン排水管挿通部７４の外方側端部に螺合することにより、そのドレン排水管挿通部７４を水密状に封止する。
【００６２】
以下、前記運転制御装置Ｃの制御動作について説明する。
この運転制御装置Ｃは、前記メインリモコンＲ１及び前記浴室リモコンＲ２夫々と通信可能に構成されている。
図１に示すように、メインリモコンＲ１及び浴室リモコンＲ２（但し、メインリモコンＲ１についてのみ図示）には、運転の開始と停止を指令する運転スイッチ８１、風呂自動運転を指令する風呂自動スイッチ８２、一般給湯温度を設定する給湯温度設定スイッチ８３、浴槽Ｙ内の目標温度を設定する浴槽温度設定スイッチ８４、浴槽Ｙ内の目標水位を設定する水位設定スイッチ８５、浴槽に追加で湯張り給湯する足し湯スイッチ８６、追焚運転を指令する追焚スイッチ８７、設定温度等の各種情報を表示する表示部８８等が設けられている。
【００６３】
前記運転制御装置Ｃは、運転スイッチ８１が操作されると制御可能な状態になり、給湯栓２が開操作されると給湯栓２から湯水を給湯する一般給湯運転を実行する。又、運転制御装置Ｃは、風呂自動スイッチ８２が操作されると風呂自動運転を実行し、足し湯スイッチ８６が操作されると足し湯運転を実行し、追焚スイッチ８７が操作されると追焚運転を実行し、前記ドレン量検出センサ９１の上限検出部９１ａによりドレンタンク８内に貯留されるドレン量が上限貯留量以上であることが検出されるとドレン排水運転を実行する。
【００６４】
前記一般給湯運転では、給湯栓２が開かれて水量センサ１４による検出水量が所定量以上になると、給湯用動作部Ａにおける燃焼用ファン１２を駆動した後、断続弁１１を開弁してイグナイタによりバーナｇ１に点火し、給湯温度設定スイッチ８３による設定温度、水量センサ１４の検出水量、給水サ−ミスタ１３の検出水温及び給湯サーミスタ１８の検出温度などに基づいて、給湯サーミスタ１８の検出温度が給湯温度設定スイッチ８３による設定温度になるようにガス比例弁１０の開度及びミキシング弁１７の開度を調節する。水量センサ１４により通水が検出されなくなると、断続弁１１を閉弁してバーナｇ１の燃焼を停止し、燃焼用ファン１２も停止して一般給湯運転を終了する。
【００６５】
風呂自動運転では、先ず、湯張り運転を実行する。この湯張り運転では、前記湯張り電磁弁４２を開弁操作して、浴槽Ｙへの湯水の供給を開始し、上述の一般給湯運転と同様にバーナｇ１に点火し、浴槽温度設定スイッチ８４による設定温度、水量センサ１４の検出水量、給水サ−ミスタ１３の検出水温及び給湯サーミスタ１８の検出温度などに基づいて、給湯サーミスタ１８の検出温度が浴槽温度設定スイッチ８４による設定温度になるようにガス比例弁１０の開度及びミキシング弁１７の開度を調節し、水位センサ３４の検出水位が水位設定スイッチ８５にて設定された設定水位以上になると、バーナｇ１の燃焼を停止し、湯張り電磁弁４２を閉弁操作して湯張り運転を終了する。
この湯張り運転では、上述のように、浴槽用戻り路３２及び浴槽用往き路３１の両方を通して浴槽Ｙに湯水が供給されることになる。
【００６６】
風呂自動運転において湯張り運転が終了したときに、浴槽戻り温サーミスタ３５の検出温度が浴槽温度設定スイッチ８４による設定温度よりも低いときは、追焚運転を実行する。この追焚運転では、端末用熱動弁２６を閉弁し且つ追焚用熱動弁２９を開弁した状態で温水循環用ポンプ２４及び追焚用循環ポンプ３３を作動させて、浴槽Ｙ内の湯水を浴槽用戻り路３２及び浴槽用往き路３１を通して循環させ、温水循環用動作部Ｂにおける燃焼用ファン１２を駆動した後、断続弁１１を開弁してイグナイタによりバーナｇ２に点火し、浴槽往き温サーミスタ３８の検出温度が追焚用設定出湯温度（例えば６０°Ｃ）になるようにガス比例弁１０の開度を調節し、浴槽戻り温サ−ミスタ３５の検出温度が浴槽温度設定スイッチ８４による設定温度に達すると、断続弁１１を閉弁させてバーナｇ２の燃焼を停止させ、燃焼用ファン１２を停止させて追焚運転を終了する。
その後、引き続いて、設定時間の間キープ運転を実行する。このキープ運転では、浴槽Ｙの湯水の温度が浴槽温度設定スイッチ８４による設定温度になり且つ浴槽Ｙの水位が水位設定スイッチ８５にて設定された設定水位になるように、前記湯張り運転及び前記追焚運転を実行する。
【００６７】
前記足し湯運転では、水位センサ３４の検出水位が水位設定スイッチ８５による設定水位以上になるように、上述のように湯張り運転を実行する。
追焚スイッチ８７が操作されたときの追焚運転における制御動作は、上述の湯張り運転での追焚運転における制御動作と同様であるので、説明を省略する。
【００６８】
前記ドレン排水運転では、ドレン量検出センサ９１の下限検出部９１ｂにてドレンタンク８内のドレン量が下限貯留量以下であることが検出されるまでドレン排水ポンプ９を作動させる。このドレン排水運転が実行されると、前記ドレンタンク８内のドレンが前記ドレン排水管４を通して浴室の排水口Ｄにまで導かれて排出され、ドレンタンク８内のドレン量が下限貯留量以下になる。
【００６９】
風呂設備には、前記ドレン排水管４から前記浴槽戻り外管３２ｂの内部にドレンが漏れる漏洩異常状態を検知する漏洩検知手段Ｓが設けられており、次に、この漏洩検知手段Ｓについて説明する。
【００７０】
図７に示すように、前記漏洩検知手段Ｓは、前記浴槽戻り外管３２ｂの内部に充満する湯水と電気的に接続するように設けられた湯水用電極９２と、前記ドレン排水管４の内部に充満するドレンと電気的に接続するように設けられたドレン用電極９３と、前記湯水用電極９２と前記ドレン用電極９３との導通を検出する導通計測手段としての導通計測部９４と、前記浴槽用湯水管Ｐの内部が湯水で充満され且つ前記ドレン排水管４の内部がドレンにて充満された状態において前記導通計測部９４にて導通が検出されると前記漏洩異常状態であると判別する判別手段としての判別部９５とから構成されている。
【００７１】
導通計測部９４及び判別部９５は運転制御装置Ｃに備えられており、運転制御装置Ｃには、導通計測部９４及び判別部９５に加えて、上記した一般給湯運転や風呂自動運転等の各種運転を実行する運転制御部９６が備えられている。
湯水用電極９２は、浴槽戻り外管３２ｂの内部に充満する湯水と電気的に接続するように、浴槽戻り内管３２ａにおける追炊用熱交換器側とは反対側の端部近くに設けられ、ドレン用電極９３は、ドレン排水管４の内部に充満するドレンと電気的に接続するように、ドレンタンク８に設けられており、湯水用電極９２及びドレン用電極９３の夫々はリード線にて運転制御装置Ｃの導通計測部９４に接続されている。
【００７２】
そして、判別部９５は、水位センサ３４の検出水位が予め設定された湯水充満用設定水位以上であり且つドレン排水ポンプ９を駆動させている状態では、浴槽戻り外管３２ｂの内部が湯水で充満され且つドレン排水管４の内部がドレンで充満されている状態であると判別し、また、導通計測部９４にて湯水用電極９２とドレン用電極９３との間の導通が検出されている状態では、漏洩異常状態であると判別するように構成されている。
導通計測部９４は、判別部９５にて浴槽戻り外管３２ｂの内部が湯水で充満され且つドレン排水管４の内部がドレンで充満されている状態であると判別されると、導通計測部９４にて湯水用電極９２とドレン用電極９３との間に電圧を印加して、導通計測部９４にて湯水用電極９２とドレン用電極９３との間が導通しているか否かを検出する。
運転制御部９６は、導通計測部９４にて湯水用電極９２とドレン用電極９３との間の導通を検出されると、ドレン排水ポンプ９を停止させ、且つ、表示部８８に漏洩異常状態であることを表示する。
【００７３】
つまり、水位センサ３４の検出水位が予め設定された湯水充満用設定水位以上であり且つドレン排水ポンプ９を駆動させている状態となると、湯水用電極９２とドレン用電極９３との間に電圧を印加し、導通計測部９４にて湯水用電極９２とドレン用電極９３との間の導通を検出すると、ドレン排水ポンプ９を停止させ、且つ、表示部８８に漏洩異常状態であることを表示する。
ちなみに、導通計測部９４にて湯水用電極９２とドレン用電極９３との間の導通を検出されたときにおいて、バーナｇ１が燃焼状態であれば停止させ、湯張り電磁弁４２が開弁状態であれば閉弁させる。
【００７４】
〔第２実施形態〕
以下、本発明に係る第２実施形態を図面に基づいて説明するが、この第２実施形態は、漏洩検知手段Ｓの構成が異なる以外は上記第１実施形態と同様であるので、第１実施形態と同じ構成要素や同じ作用を有する構成要素については、同じ符号を付することにより説明を省略し、主として、第１実施形態と異なる構成を説明する。
【００７５】
図８に示すように、前記漏洩検知手段Ｓは、前記ドレンタンク８内に貯留されるドレン量を検出する前記ドレン量検出センサ９１と、前記浴槽用湯水管Ｐの内部が湯水で充満されている状態において、前記ドレン排水ポンプ９を前記ドレンタンク８内の貯留されるドレンを排出するように正搬送状態で作動させたのち、前記ドレン排水ポンプ９を前記ドレン排水管４内の流体を前記ドレンタンク８内に搬送するように逆搬送状態で作動させたときに、前記ドレン量検出センサ９１にてドレン量の増加が検出されると前記漏洩異常状態であると判別する判別手段としての判別部９５とから構成されている。
【００７６】
ドレン排水ポンプ９は、ドレンタンク８内の貯留されるドレンをドレン排水管４を通して排水箇所にＤに排出する正搬送状態と、ドレン排水管４内の流体をドレンタンク８内に搬送する逆搬送状態とで作動可能に構成されている。
また、判別部９５は運転制御装置Ｃに備えられており、運転制御装置Ｃには、判別部９５に加えて、上記した一般給湯運転や風呂自動運転等の各種運転を実行する運転制御部９６が備えられている。
【００７７】
そして、判別部９５は、ドレン排水運転を終了する際に、水位センサ３４の検出水位が予め設定された湯水充満用設定水位以上であると、浴槽戻り外管３２ｂの内部が湯水で充満されている状態であると判別し、ドレン排水ポンプ９を逆搬送状態で作動しているときに、下限検出部９１ｂにてドレンタンク８内のドレン量が下限貯留量以上であることが検出されると、漏洩異常状態であると判別する。
運転制御部９６は、ドレン排水運転を終了する際に、判別部９５にて浴槽戻り外管３２ｂの内部が湯水で充満されている状態であると判別されていると、ドレン排水運転が終了した後（下限検出部９１ｂにてドレンタンク８内のドレン量が下限貯留量以下であることが検出された後）も、ドレン排水運転が終了してから延長設定時間が経過する間はドレン排水ポンプ９を継続して正転搬送状態で作動させ、その後、逆転用設定時間が経過する間はドレン排水ポンプ９を逆搬送状態で作動させる。また、運転制御部９６は、判別部９５にて漏洩異常状態であると判別されると、表示部８８に漏洩異常状態であることを表示させる。
【００７８】
つまり、ドレン排水運転を終了する際に、水位センサ３４の検出水位が予め設定された湯水充満用設定水位以上であると、ドレン排水運転が終了した後も、ドレン排水運転が終了してから延長設定時間が経過する間はドレン排水ポンプ９を継続して正転搬送状態で作動させて、ドレン排水管４内のドレンを排水箇所Ｄに排出し、その後、逆転用設定時間が経過する間はドレン排水ポンプ９を逆搬送状態で作動させる。そして、ドレン排水ポンプ９を逆搬送状態で作動させているときに、下限検出部９１ｂにてドレンタンク８内のドレン量が下限貯留量以上であることが検出されると、表示部８８に漏洩異常状態であることを表示させる。
ちなみに、ドレン排水ポンプ９を逆搬送状態で作動させて、下限検出部９１ｂにてドレンタンク８内のドレン量が下限貯留量以上であることが検出されたときにおいて、バーナｇ１が燃焼状態であれば停止させ、湯張り電磁弁４２が開弁状態であれば閉弁させる。
【００７９】
〔第３実施形態〕
以下、本発明に係る第３実施形態を図面に基づいて説明するが、この第３実施形態は、漏洩検知手段Ｓの構成が異なる以外は上記第１及び第２実施形態と同様であるので、第１及び第２実施形態と同じ構成要素や同じ作用を有する構成要素については、同じ符号を付することにより説明を省略し、主として、第１及び第２実施形態と異なる構成を説明する。
【００８０】
図９に示すように、前記漏洩検知手段Ｓが、前記浴槽戻り外管３２ｂに湯水が充満された状態においてその湯水の圧力を検出する前記水圧センサ３４と、前記浴槽戻り外管３２ｂに湯水が充満され、前記湯張り電磁弁４２が停止され、且つ、前記ドレン排水管４の内部にドレンが充満させた状態において、前記ドレン排水ポンプ９を作動させたときに前記水圧センサ３４にて圧力の上昇が検知されると前記漏洩異常状態であると判別する判別手段としての判別部９５とから構成されている。
また、判別部９５は運転制御装置Ｃに備えられており、運転制御装置Ｃには、判別部９５に加えて、上記した一般給湯運転や風呂自動運転等の各種運転を実行する運転制御部９６が備えられている。
【００８１】
判別部９５は、水位センサ３４の検出水位が予め設定された湯水充満用設定水位以上であり且つドレン排水ポンプ９を駆動されている状態では、浴槽戻り外管３２ｂの内部が湯水で充満され且つ前記ドレン排水管４の内部がドレンで充満されている状態であると判別し、このように判別しているときに、湯張り電磁弁４２が閉弁され且つ追炊用循環ポンプ３３が停止されている状態において、水位センサ３４の検出水位が上昇すると、漏洩異常状態であると判別する。
運転制御部９６は、判別部９５にて漏洩異常状態であると判別されると、ドレン排水ポンプ９を停止させ、且つ、表示部８８に漏洩異常状態であることを表示する。
【００８２】
つまり、水位センサ３４の検出水位が予め設定された湯水充満用設定水位以上であり且つドレン排水ポンプ９を駆動させている状態であるとともに、湯張り電磁弁４２が閉弁され且つ追炊用循環ポンプ３３が停止されている状態において、水位センサ３４の検出水位が上昇すると、ドレン排水ポンプ９を停止させ、且つ、表示部８８に漏洩異常状態であることを表示する。
ちなみに、上述の如く水位センサ３４の検出水位が上昇したときにおいて、バーナｇ１が燃焼状態であれば停止させ、湯張り電磁弁４２が開弁状態であれば閉弁させる。
【００８３】
〔第４実施形態〕
以下、本発明に係る第４実施形態を図面に基づいて説明するが、この第４実施形態は、漏洩検知手段Ｓの構成が異なる以外は上記第１〜第３実施形態と同様であるので、第１〜第３実施形態と同じ構成要素や同じ作用を有する構成要素については、同じ符号を付することにより説明を省略し、主として、第１〜第３実施形態と異なる構成を説明する。
【００８４】
図１０に示すように、前記漏洩検知手段Ｓが、前記ドレンタンク８内に貯留されるドレン量を検出する前記ドレン量検出センサ９１と、前記ドレン排水ポンプ９を前記ドレンタンク８内の貯留されるドレンを排出するように作動させたときに、前記ドレン量検出センサ９１にてドレン量が設定量減少したことが検出されるのに要する時間が設定基準時間よりも設定時間短くなると前記漏洩異常状態であると判別する判別手段としての判別部９５とから構成されている。
また、判別部９５は運転制御装置Ｃに備えられており、運転制御装置Ｃには、判別部９５に加えて、上記した一般給湯運転や風呂自動運転等の各種運転を実行する運転制御部９６が備えられている。
【００８５】
運転制御部９６は、予めドレン排出運転を実行してそのドレン排出運転に要した時間、つまりは、ドレン排水ポンプ９を作動させることによって、上限検出部９１ｂにてドレンタンク８内のドレン量が上限貯留量以上であることが検出されている状態から下限検出部９１ｂにてドレンタンク８内のドレン量が下限貯留量以下であることが検出される状態となるまでに要した時間を設定基準時間として記憶する。また、運転制御部９６は、判別部９５にて漏洩異常状態であると判別されると、表示部８８に漏洩異常状態であることを表示する。
判別部９５は、上述の如く設定基準時間が記憶された後のドレン排水運転が実行されたときに、ドレン排水運転に要した時間が設定基準時間よりも設定時間短くなると、漏洩異常状態であると判別する。
【００８６】
つまり、予めドレン排出運転を実行してそのドレン排出運転に要した時間を設定基準時間として記憶させ、その後のドレン排水運転が実行されたときに、ドレン排水運転に要した時間が設定基準時間よりも設定時間短くなると、表示部８８に漏洩異常状態であることを表示する。
ちなみに、ドレン排水運転に要した時間が設定基準時間よりも設定時間短くなったときにおいて、バーナｇ１が燃焼状態であれば停止させ、湯張り電磁弁４２が開弁状態であれば閉弁させる。
【００８７】
〔別実施形態〕
次に別実施形態を説明する。
（イ）  上記第１〜第４実施形態では、風呂設備用配管構造のドレン排水管挿通方法を風呂設備を新規に設置する場合に適応したが、風呂設備用配管構造のドレン排水管挿通方法を既設の風呂設備に適応することもできる。
【００８８】
（ロ）  上記第１〜第４実施形態においては、浴槽用湯水管Ｐとしての浴往き外管３１ｂ及び浴槽戻り外管３２ｂのうち、浴槽戻り外管３２ｂの内部を通してドレン排水管を配管したが、浴槽往き外管３１ｂの内部を通してドレン排水管を配管してもよい
つまり、湯水が浴槽往き外管３１ｂ及び浴槽戻り外管３２ｂの両方を通して浴槽Ｙに供給される両搬送湯張りタイプにおいて、ドレン排水管４を浴槽用戻り外管３２ｂの内部を通して配管したが、ドレン排水管４を浴槽往き外管３１ｂの内部を通して配管してもよい。ちなみに、湯水が浴槽往き外管３１ｂのみを通して浴槽Ｙに供給される片搬送湯張りタイプでは、ドレン排水管４を浴槽往き外管３１ｂの内部を通して配管する。
【００８９】
（ハ）  上記第１実施形態においては、湯水用電極９２を浴槽戻り内管３２ａにおける追炊用熱交換器側とは反対側の端部近くに設けたが、湯水用電極９２は浴槽戻り外管３２ｂの内部に充満する湯水と電気的に接続するように設ければよく、例えば、湯水用電極９２を浴槽戻り外管３２ｂや熱源機側継手６０に設けてもよい。
また、上記第１実施形態においては、ドレン用電極９３をドレンタンク８に設けたが、ドレン用電極９３はドレン排水管４の内部に充満するドレンと電気的に接続するように設ければよく、例えば、ドレン用電極９３をドレン排水管４に設けてもよい。
【００９０】
（ニ）  上記第２実施形態においては、浴槽用湯水管Ｐの内部が湯水で充満されている状態において、ドレン排水ポンプ９をドレンタンク８内の貯留されるドレンを排出するように正搬送状態で作動させたのち、ドレン排水ポンプ９を前記ドレン排水管４内の流体をドレンタンク８内に搬送するように逆搬送状態で作動させたときに、ドレン量検出センサ９１にてドレン量の増加が検出されると漏洩異常状態であると判別するように構成したが、単に、浴槽用湯水管Ｐの内部が湯水で充満されている状態において、ドレン排水ポンプ９を前記ドレン排水管４内の流体をドレンタンク８内に搬送するように逆搬送状態で作動させたときに、ドレン量検出センサ９１にてドレン量の増加が検出されると漏洩異常状態であると判別するように構成してもよい。
ちなみに、この場合のドレン量の増加とは、例えば、ドレン排水管の内部が充満した状態でドレン排水ポンプを逆搬送状態で作動させたときに増加よりも大きい増加とする。
【００９１】
（ホ）  上記第４実施形態においては、ドレン排水ポンプ９をドレンタンク８内の貯留されるドレンを排出するように作動させたときに、ドレン量検出センサ９１にてドレン量が設定量減少したことが検出されるのに要する時間が設定基準時間よりも設定時間短くなると漏洩異常状態であると判別するように構成したが、ドレン排水ポンプ９をドレンタンク８内の貯留されるドレンを排出するように作動させたときに、ドレン量検出センサ９１にてドレン量が設定量減少したことが検出されるのに要する時間が設定基準時間よりも設定時間長くなると漏洩異常状態であると判別するように構成してもよい。
つまり、漏洩異常状態において、ドレン排水ポンプ９を作動させた状態で、ドレン排水管４内が浴槽用湯水管Ｐに対して正圧である場合では、圧損が小さくなるため、ドレン量検出センサ９１にてドレン量が設定量減少したことが検出されるのに要する時間が短くなるが、漏洩異常状態において、ドレン排水ポンプ９を作動させた状態で、ドレン排水管４内が浴槽用湯水管Ｐに対して負圧である場合では、圧損が大きくなるため、ドレン量検出センサ９１にてドレン量が設定量減少したことが検出されるのに要する時間が長くなる。
要するに、ドレン排水ポンプ９をドレンタンク８内の貯留されるドレンを排出するように作動させたときに、湯水供給手段４２等の状態に応じて、ドレン量検出センサ９１にてドレン量が設定量減少したことが検出されるのに要する時間が設定基準時間よりも設定時間長くなる又は設定時間よりも短くなると漏洩異常状態であると判別するように構成してもよい。
【００９２】
（ヘ）  上記第４実施形態においては、予めドレン排出運転を実行してそのドレン排出運転に要した時間を設定基準時間として設定するように構成したが、設定基準時間を設定可能な時間入力手段を備え、この時間入力手段にて設定基準時間を設定するように構成してもよい。
【００９３】
（ト）  上記第１〜第３実施形態において、水位センサ３４の検出水位が予め設定された湯水充満用設定水位以上である場合に、浴槽戻り外管３２ｂの内部が湯水で充満されている状態であると判別したが、湯張り電磁弁４２が開弁状態（湯水供給手段が供給状態）である場合に、浴槽戻り外管３２ｂの内部が湯水で充満されている状態であると判別してもよい。
また、水位センサ３４を浴槽戻り外管３２ｂの内部が湯水で充満されている状態であるか否かを検出する湯水充満検出手段として用いたが、湯水充満検出手段を水位センサ３４とは別に設けてもよい。
【００９４】
（チ）  上記第１及び第３実施形態において、ドレン排水ポンプ９（ドレン排水手段）を駆動させている状態である場合に、ドレン排水管４の内部がドレンで充満されている状態であると判別したが、ドレン排水管４の内部がドレンで充満されている状態であるか否かを検出するドレン充満検出手段を設けて、そのドレン充満検出手段の検出情報に基づいて、ドレン排水管４の内部がドレンで充満されている状態であると判別するように構成してもよい。
【００９５】
（リ）  上記第１〜第４実施形態において、漏洩異常状態であると判別した場合に、ドレン排水手段９を停止させ、且つ、報知手段を作動させるように構成したが、漏洩異常状態であると判別した場合に、ドレン排水手段９の停止と報知手段の作動とのうちのいずれか一方又は両方を行わなくてもよい。
ちなみに、報知手段を作動として、表示部８８に漏洩異常状態であることを表示するようにしたが、報知ランプを点灯させてもよく又報知ブザーを鳴らしてもよい。
【００９６】
（ヌ）  上記第１〜第４実施形態では、ドレン量検出センサ９１は、ドレンタンク８内のドレン量が上限貯留量以上である状態、ドレンタンク８内のドレン量が下限貯留量以下である状態、並びに、ドレンタンク８内のドレン量が上限貯留量以下であり且つ下限貯留量以上である状態の３状態を検出可能に構成したが、４状態以上を検出可能に構成してもよい。
このように構成することにより、例えば、上記第２実施形態において、ドレン排水ポンプ９を逆搬送状態で作動させているときに、下限貯留量とは異なる下限貯留量以上の漏洩検知用貯留量以上であることが検出されると、漏洩異常状態であると判別するように構成することができ、また、上記第４実施形態において、設定量を、ドレン排出運転にて排出するドレン量と異なる量とすることができる。
【図面の簡単な説明】
【００９７】
【図１】第１実施形態に係る風呂設備の全体構成を示すブロック図
【図２】第１実施形態に係る風呂設備の全体構成を示す概略図
【図３】第１実施形態に係る熱源機側継手の構成を示す断面図
【図４】第１実施形態に係る浴槽側継手の構成を示す断面図
【図５】第１実施形態に係る熱源機側継手及び浴槽側継手の構成を示す断面図
【図６】さや管を用いた配管構造を示す図
【図７】第１実施形態に係る漏洩検知手段を示すブロック図
【図８】第２実施形態に係る漏洩検知手段を示すブロック図
【図９】第３実施形態に係る漏洩検知手段を示すブロック図
【図１０】第４実施形態に係る漏洩検知手段を示すブロック図
【符号の説明】
【００９８】
４    ドレン排水管
８    ドレンタンク
９    ドレン排水手段
３４    水位センサ
４２    湯水供給手段
６０    熱源機側継手
６１    熱源機側接続部
６２    浴槽用湯水管側接続部
６３    内部通路
６４    ドレン排水管挿通部
６５    封止部材
７０    浴槽側継手
７１    浴槽側接続部
７２    浴槽用湯水管側接続部
７３    内部通路
７４    ドレン排水管挿通部
９１    ドレン量検出センサ
９２    湯水用電極
９３    ドレン用電極
９４    導通計測手段
９５    判別手段
Ｇ    熱源機
Ｎ２  熱交換器
Ｐ    浴槽湯水管
Ｓ    漏洩検知手段
Ｙ    浴槽
【図１】
0005117910.tif 000002
【図２】
0005117910.tif 000003
【図３】
0005117910.tif 000004
【図４】
0005117910.tif 000005
【図５】
0005117910.tif 000006
【図６】
0005117910.tif 000007
【図７】
0005117910.tif 000008
【図８】
0005117910.tif 000009
【図９】
0005117910.tif 000010
【図１０】
0005117910.tif 000011